【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
Ａ）複数の配達通知を与えるステップであって、前記複数の配達通知の各々が配達通知コードを含み、該配達通知の各々がＲＦＩＤタグであり、該配達通知コードの各々が該複数の配達通知内で一意である、ステップと、
Ｂ）前記配達通知の一つから前記配達通知コードを読み取るステップと、
Ｃ）品物から品物コードを読み取るステップと、
Ｄ）前記配達通知コードと前記品物コードとをリンクするステップと
を含む、一意の識別情報と、それから読取り可能な一意の品物コードとを有する一意の品物を配達する方法。
【請求項２】
Ａ）複数の配達通知を与えるステップであって、前記複数の配達通知の各々が配達通知コードを含み、該配達通知コードの各々が該複数の配達通知内で一意である、ステップと、
Ｂ）前記配達通知の一つから前記配達通知コードを読み取るステップと、
Ｃ）品物からＲＦＩＤタグ上に符号化された品物コードを読み取るステップと、
Ｄ）前記配達通知コードと前記品物コードとをリンクするステップと
を含む、一意の識別情報と、それから読取り可能な一意の品物コードとを有する一意の品物を配達する方法。
【請求項３】
Ａ）複数の配達通知を与えるステップであって、前記複数の配達通知の各々が配達通知コードを含み、該配達通知の各々がＲＦＩＤタグであり、該配達通知コードの各々が該複数の配達通知内で一意である、ステップと、
Ｂ）前記配達通知の一つから前記配達通知コードを読み取るステップと、
Ｃ）品物からＲＦＩＤタグ上に符号化された品物コードを読み取るステップと、
Ｄ）前記配達通知コードと前記品物コードとをリンクするステップと
を含む、一意の識別情報と、それから読取り可能な品物コードとを有する一意の品物を配達する方法。
【請求項４】
Ａ）品物から品物コードを読み取るステップと、
Ｂ）配達通知コードと前記品物コードとをリンクするステップと、
Ｃ）前記配達通知コードを含む電子伝言を、指定受取人に送るステップと
を含む、配達できなかった品物を指定受取人に知らせる方法。
【請求項５】
Ａ）品物から品物コードを読取るステップと、
Ｂ）配達通知コードを前記品物コードにリンクするステップと、
Ｃ）前記配達通知コードを含む電子伝言を、指定受取人へ送信するステップと、
Ｄ）前記指定受取人から前記配達通知コードを受取ると、前記品物の入った小包の配達計画を含む、前記品物に関する情報へのアクセスを前記指定受取人に提供するステップと、
Ｅ）次いで前記指定受取人から受信した指示に基づき前記小包の前記配達計画を変更するステップと
を含む、品物を配達しようとして失敗すると導入される、指定受取人へ品物を配達する方法。
【請求項６】
Ａ）指定受取人がアクセスできるインターネットウェブサイトを提供するステップと、
Ｂ）前記指定受取人への品物の配達が開始される前に前記指定受取人が、自身への前記品物の配達に関する少なくとも１つの希望条件を含む、前記品物の配達に関する情報を入力して個人プロファイルを作成できるようにするステップと、
Ｃ）前記インターネットウェブサイトに前記指定受取人により作成された自身の前記個人プロファイルをサーバに格納するステップと、
Ｄ）前記指定受取人へ配達する前記品物を受取るステップと、
Ｅ）前記指定受取人の前記個人プロファイルを検索するステップと、
Ｆ）前記指定受取人の前記個人プロファイルの前記１つ以上の希望条件を守って前記品物を配達するステップと
を含む、指定受取人が自身に出荷される品物の配達に関する少なくとも１つの希望条件を指示した上で指定受取人へ品物を配達する方法。
【請求項７】
前記個人プロファイルを作成できるようにする前記ステップで前記ウェブサイトに前記指定受取人により作成された前記個人プロファイルは、ある特定の条件下では代わりとなる配達場所を含む請求項６に記載の方法。
【請求項８】
前記代わりの配達場所は小売郵便施設を含む請求項７に記載の方法。
【請求項９】
前記個人プロファイルを作成できるようにする前記ステップで前記ウェブサイトに前記指定受取人により作成された前記個人プロファイルは、前記指定受取人へ前記品物を配達したことまたは配達しようとしたことを知らせるための前記指定受取人が希望する電子メールアドレスを含む請求項６に記載の方法。
【請求項１０】
前記個人プロファイルを作成できるようにする前記ステップで前記ウェブサイトに前記指定受取人により作成された前記個人プロファイルは、前記品物を配達場所にその場で配達確認の署名を得ずに配達してよいという許可を含む請求項６に記載の方法。
【請求項１１】
Ａ）指定受取人から連絡を受取るステップと、
Ｂ）前記指定受取人から配達通知コードを受取ると、品物の入った小包の配達計画を含む前記品物に関する情報へのアクセスを前記指定受取人に提供するステップと、
Ｃ）次いで、前記品物を配達場所にその場で配達確認の署名を得ずに配達してもよいという指令を前記指定受取人から受取るステップと、
Ｄ）前記指定受取人から受取った前記指令に基づき前記品物の配達計画を変更するステップと、
Ｅ）前記品物を前記配達場所にその場で配達確認の署名を得ずに配達するステップと
を含む、配達サービスが品物を指定受取人に配達しようとして失敗し、指定受取人に配達通知コードが渡されると、指定受取人に品物を配達する仕方を変更する方法。
【請求項１２】
電話システムを介して前記指定受取人からの連絡を受取る請求項１１に記載の方法。
【請求項１３】
インターネットシステムを介して前記指定受取人から連絡を受取る請求項１１に記載の方法。
【請求項１４】
次いで前記指定受取人から受取った前記指示が電話システムを介してのものである請求項１１に記載の方法。
【請求項１５】
次いで前記指定受取人から受取った前記指示がインターネットシステムを介してのものである請求項１１に記載の方法。
【請求項１６】
配達の間、前記配達場所に居ることを確認するために、前記配達場所に置かれている前記指定受取人のしるしを入手することをさらに含む請求項７に記載の方法。
【請求項１７】
前記指定受取人のしるしを入手する前記ステップは、バーコードラベルまたは荷札を走査することを含む請求項１６に記載の方法。
【請求項１８】
前記個人プロファイルを作成できるようにする前記ステップで前記ウェブサイトに前記指定受取人により作成された前記個人プロファイルは、前記品物を前記代わりの配達場所に配達するべき条件の１つが、前記品物の入った小包をある特定の時間に配達する場合であることを特定している請求項７に記載の方法。
【請求項１９】
前記個人プロファイルを作成できるようにする前記ステップで前記ウェブサイトに前記指定受取人により作成された前記個人プロファイルは、前記品物を前記代わりの配達場所に配達するべき条件の１つが、前記小包を平日に配達する場合と、前記小包を休日に配達する場合とのうちの１つであることを特定している請求項１８に記載の方法。
【請求項２０】
前記個人プロファイルを作成できるようにする前記ステップで前記ウェブサイトに前記指定受取人により作成された前記個人プロファイルは、前記品物を前記代わりの配達場所に配達するべき条件の１つが、前記品物の入った小包を主配達場所に配達できない場合であることを特定している請求項７に記載の方法。
【請求項２１】
前記ウェブサイトへのリンクを有する電子メールメッセージを前記電子メールアドレスに送信することにより、前記品物を配達しようとしたことを前記指定受取人に知らせることをさらに含む請求項９に記載の方法。
【請求項２２】
前記指定受取人が前記電子メールメッセージ内の前記リンクを選択すると、前記指定受取人に前記ウェブサイトを提示するステップと、
前記指定受取人が前記電子メールメッセージ内の前記リンクを介して前記ウェブサイトにアクセスすると、前記指定受取人が前記ウェブサイトで配達に関する指令を与えることができるようにするステップと
をさらに含む請求項２１に記載の方法。
【請求項２３】
前記指定受取人が前記電子メールメッセージ内の前記リンクを介して前記ウェブサイトにアクセスすると、前記指定受取人が前記ウェブサイトで配達に関する指令を与えることができるようにする前記ステップは、前記指定受取人が、
前記品物を再度配達するようにという指令と、
前記品物を保管するようにという指令と、
別の場所に前記品物を再配達するようにという指令と、
前記品物を発送人に戻すようにという指令と、
署名を要求せずに前記品物を配達するようにという指令と
からなる１つの群から選択された少なくとも１つの指令を含む配達に関する指令を与えることができるようにすることを含む請求項２２に記載の方法。